(57)【要約】  【課題】  サイドスピーカーユニットを表示装置本体へ取り付ける構造を簡単にする。  【解決手段】  サイドスピーカーユニット１７の側面に板金製のブラケット金具１を突設しておき、ブラケット金具１の先端側を表示装置本体１５の左右端部の背面側に当接した状態で、ブラケット金具１に設けられた取付孔４，５からビスを挿入して、ブラケット金具１を表示装置本体側の雌ねじ穴１８，１９に螺着することにより表示装置本体１５の左右端にサイドスピーカーユニット１７を取り付ける構造をした薄型表示装置において、ブラケット金具１の先端側であって表示装置本体１５に当接される部分にダルマ孔６を形成し、ダルマ孔６の位置に対応する表示装置本体１５の表面に仮止めビス７を螺合しておき、ダルマ孔６を仮止めビス７に係合してから、取付孔４，５にビスを挿入する。【選択図】  図５
2005286960.tif 000002
【特許請求の範囲】
【請求項１】
スピーカーユニットをスピーカーユニット側に設けられたブラケット金具を用いて表示装置本体側に取り付ける薄型表示装置において、
前記ブラケット金具には前記表示装置本体側に固着するためのビス孔と仮固定用の抜き孔とを有し、前記表示装置本体側には前記ブラケット金具を固着するための雌ネジ部と前記抜き孔に係合する凸部を有することを特徴とする薄型表示装置。
【請求項２】
スピーカーユニットをスピーカーユニット側に設けられたブラケット金具を用いて表示装置本体側に取り付ける薄型表示装置において、
前記ブラケット金具には前記表示装置本体側に固着するためのビス孔と仮固定用の凸部とを有し、前記表示装置本体側には前記ブラケット金具を固着するための雌ネジ部と前記凸部に係合する孔部を有することを特徴とする薄型表示装置。
【請求項３】
請求項１または２に記載の薄型表示装置において、
前記凸部の先端部の径は根元部の径よりも大きく形成され、前記抜き孔または孔部は前記凸部の先端部が通過可能な径と前記凸部の先端部は通過しないが根元部が通過可能な径とが連続して形成されていることを特徴とする薄型表示装置。
【請求項４】
請求項１または３に記載の薄型表示装置において、
前記ブラケット金具にはダルマ孔を形成し、前記表示装置本体側に仮止めビスを設け、前記ダルマ孔を前記仮止めビスに係合した後、前記ブラケット金具を表示装置本体側にビス止めにより取り付けることを特徴とする薄型表示装置。
【請求項５】
スピーカーユニットの側面に板金製のブラケット金具を突設し、該ブラケット金具の先端側を表示装置本体の左右端部の背面側に当接した状態で、前記ブラケット金具の少なくとも上下２箇所に設けられた取付孔からビスを挿入して、前記ブラケット金具を表示装置本体側の雌ねじに螺着することにより表示装置本体にスピーカーユニットを取り付ける構造の薄型表示装置において、
前記ブラケット金具の先端側であって表示装置本体に当接される部分に形成された上部が小径で下部が大径のダルマ孔と、
該ダルマ孔の位置に対応する表示装置本体の表面に螺合されて前記ダルマ孔の小径部と係合可能な仮止めビスと、
を備え、前記ブラケット金具のダルマ孔を前記仮止めビスに係合した後、前記ブラケット金具の取付孔と前記雌ねじの位置合わせ後に、前記取付孔にビスを挿入して前記雌ねじに螺合することを特徴とする薄型表示装置。
【請求項６】
請求項４または５に記載の薄型表示装置において、
前記仮止めビスの頭部の下側に前記ダルマ孔の小円部よりやや小径の円柱部を形成しその下端に前記頭部と略同径のフランジ部を形成することにより、前記円柱部に前記ダルマ孔の小円部を係合した状態で、前記ブラケット金具を前記仮止めビスの軸方向への移動を可能にしたことを特徴とする薄型表示装置。
【請求項７】
請求項６に記載の薄型表示装置において、
前記ブラケット金具のダルマ孔を前記仮止めビスに係合する際に、前記円柱部の下部にダルマ孔の小円部を係合してから、該小円部を前記円柱部の上部に移動しながら前記ブラケット金具の取付孔を前記雌ねじの位置に合わせるようにしたことを特徴とする薄型表示装置。
【請求項８】
請求項１乃至７のいずれかに記載の薄型表示装置において、
表示装置本体に取り付けられた前記ブラケット金具の背面側にブラケットカバーをビス止めにより取り付けることを特徴とする薄型表示装置。
【発明の詳細な説明】
【技術分野】
【０００１】
本発明は、液晶テレビ等の薄型表示装置に関し、詳しくは、表示画面の外側の左右両端にスピーカーユニットを配置したサイドスピーカー型の薄型表示装置に関する。
【背景技術】
【０００２】
近年、液晶テレビ等では、画面が大型化される傾向にある。画面の大型化すなわち液晶テレビの外形が大きくなるに従い、商品輸送のために梱包したときの外形寸法が大きくなり、輸送時の取り扱いに支障をきたすことがあった。特に、サイドスピーカーユニット型の大型画面の液晶テレビでは、同サイズのアンダスピーカーユニット型よりもスピーカーユニットユニットの分、横幅が大きくなり、その分、輸送時の取り扱いに支障をきたすことがあった。そのため、サイドスピーカーユニット型の大型画面の液晶テレビでは、工場出荷時に、左右のスピーカーユニットユニットを取り外して梱包しておき、それを購入したユーザーが、スピーカーユニットユニットを取り付けるという方法をとることがあった。その場合は、スピーカーユニットユニットのテレビ本体への取付部分の構造がなるべく簡単であって、ユーザーの組立作業が簡単であることが必要であった。
なお、従来、スピーカーユニットユニットをテレビ本体の左右に取り付ける構造をしたものとして特許文献１に記載の「テレビ受像機」が知られている。
【特許文献１】特開平０６−０７０２６９号公報
【発明の開示】
【発明が解決しようとする課題】
【０００３】
そこで、本発明は、大型画面であってサイドスピーカー型の液晶テレビ等の薄型表示装置において、スピーカーユニットをユーザーが組み立てるようにした場合の組立作業を簡単にすることを目的とした。
【課題を解決するための手段】
【０００４】
上記課題を解決するために、本発明は、スピーカーユニットをスピーカーユニット側に設けられたブラケット金具を用いて表示装置本体側にビス止めにより取り付ける構造をした薄型表示装置において、ブラケット金具にダルマ孔を形成するとともに、表示装置本体側側に仮止めビスを設けておき、スピーカーユニットを取り付ける際は、前記ブラケット金具のダルマ孔を前記仮止めビスに係合した後、前記ブラケット金具を表示装置本体側にビス止めにより取り付けることを特徴とする。
詳しくは、スピーカーユニットの側面に板金製のブラケット金具を突設しておき、該ブラケット金具の先端側を表示装置本体の左右端部の背面側に当接した状態で、前記ブラケット金具の少なくとも上下２箇所に設けられた取付孔からビスを挿入して、前記ブラケット金具を表示装置本体側の雌ねじに螺着することにより表示装置本体の左右端にスピーカーユニットを取り付ける構造をした薄型表示装置において、前記ブラケット金具の先端側であって表示装置本体に当接される部分に形成された上部が小円で下部が大円であるダルマ孔と、該ダルマ孔の位置に対応する表示装置本体の表面に螺合されて前記ダルマ孔の小円部と係合可能な仮止めビスとを備え、スピーカーユニットを取り付ける際は、前記ブラケット金具のダルマ孔を前記仮止めビスに係合した後、前記ブラケット金具の取付孔を前記雌ねじの位置に合わせてから、前記取付孔にビスを挿入して前記雌ねじに螺合することを特徴とする。
なお、表示装置本体に取り付けられた前記ブラケット金具の背面側に、ブラケットカバーをビス止めにより取り付けることが好ましい。
また、前記仮止めビスの頭部の下側に前記ダルマ孔の小円部よりやや小径の円柱部を形成しその下端に前記頭部と略同径のフランジ部を形成することにより、前記円柱部に前記ダルマ孔の小円部を係合した状態で、前記ブラケット金具を前記仮止めビスの軸方向への移動を可能にする。
さらには、前記ブラケット金具のダルマ孔を前記仮止めビスに係合する際に、前記円柱部の下部にダルマ孔の小円部を係合してから、該小円部を前記円柱部の上部に移動しながら前記ブラケット金具の取付孔を前記雌ねじの位置に合わせるようにすることが好ましい。
【発明の効果】
【０００５】
以上述べたように本発明によれば、スピーカーユニットに突設されているブラケット金具にダルマ孔を形成するとともに、表示装置本体側に仮止めビスを取付けておき、スピーカーユニットを取り付ける際は、前記ブラケット金具のダルマ孔を前記仮止めビスに係合した後、前記ブラケット金具を表示装置本体側にビス止めにより取り付けるようにしてスピーカーユニットを取り付けたことで、ユーザーが行うスピーカーユニットの取付作業が簡単になる。
【発明を実施するための最良の形態】
【０００６】
以下、図に基づいて本発明の実施形態を説明する。
図１は本発明で用いられるブラケット金具を単体で示した外観図であり、図２および図３は本発明で用いられる仮止めビスの外観を示す斜視図であり、図４〜図１０はスピーカーユニットの取付手順を示す斜視図であり、図１１〜図１３はスピーカーユニットを表示装置本体に取り付けた状態を示す斜視図である。
【０００７】
図１に示されるように、ブラケット金具１は板金を折曲して形成されたものであり、右側にスピーカーユニット１７を取り付けるための取付孔２，３が上下２箇所に形成されて、図示しないスピーカーユニット１７がビスにより取り付けられる。ブラケット金具１の中央部には、表示装置本体に取り付けるための取付孔４，５が上下２箇所に形成されている。ブラケット金具１の左側の上下方向中央より下寄りの位置に、ダルマ孔６が形成されている。ダルマ孔６は小円部を上に大円部を下に形成されている。このブラケット金具１を、取付孔２，３によりスピーカーユニット１７に取り付けた状態が図５に示されている。
【０００８】
図２および図３に示される仮止めビス７は、ダルマ孔６の大円部の径よりやや小径の頭部８の下側に、ダルマ孔６の小円部の径と同じかやや小さい外径の円柱部９が形成されている。円柱部９の下端には頭部８と略同径のフランジ部１１が形成されて、その下方に雄ねじ部１２が形成されている。この仮止めビス７は、表示装置本体の背面であってブラケット金具１のダルマ孔６に対応する位置に螺合される。仮止めビス７が表示装置本体に取り付けられた状態が図４、５に示される。
【０００９】
次に、図４〜図１０を参照しながら、上述したブラケット金具１が取り付けられたスピーカーユニット１７を表示装置本体側に取り付ける手順を説明する。通常、この表示装置の場合は、ブラケット金具１をスピーカーユニット１７に取り付けた状態で工場出荷され、表示装置を購入したユーザーがブラケット金具１を表示装置本体に取り付けることで表示装置の組み立てが完成することになる。先ず、表示装置を購入したユーザーは、梱包を解いて、図４に示されるように、表示装置本体１５を設置する。次に、図の右側からスピーカーユニット１７を取り付ける場合は、表示装置本体１５の右端部分からスピーカーユニット１７への接続線１６を取り出す。
【００１０】
次に、別梱包されていたスピーカーユニット１７を取り出す。スピーカーユニット１７には、既にブラケット金具１がその取付孔２，３によりビス止めされている。一方、表示装置本体１５の背面右側には図５に示されるように、仮止めビス７が螺合されている。次に、図５に示されるように、表示装置本体１５の背面右側に螺合されている仮止めビス７にブラケット金具１のダルマ孔６を挿入して、スピーカーユニット１７を表示装置本体１５に仮止めする。次に、図６に示すように、表示装置本体１５の背面右側に形成されている雌ねじ穴１８，１９に、ブラケット金具１の取付孔４，５を一致させるように、仮止めビス７を支点にしてスピーカーユニット１７を表示装置本体１５の前方に回動させる。なお、この回動動作のとき、ブラケット金具１のダルマ孔６の小円部が、仮止めビス７の円柱部９の下部から上部へ摺動する。
【００１１】
雌ねじ穴１８，１９に、ブラケット金具１の取付孔４，５が一致した状態で、図７に示すように、取付孔４，５からビス２１，２２を挿入して、雌ねじ穴１８，１９に螺合する。スピーカーユニット１７がブラケット金具１を介して表示装置本体１５に強固に固定された後に、図８に示されるように、スピーカーユニット１７の背面の端子台２３に接続線１６の先端を接続する。次いで、別に添付されている端子台カバー２４を端子台２３に嵌着する。
【００１２】
次に、図９、１０に示されるように、ブラケット金具１の背面に樹脂製のブラケットカバー２５を装着し、ブラケットカバー２５に形成されている取付孔２６にビス２７を螺合してブラケットカバー２５を確実に固定する。これで右側のスピーカーユニット１７の取付けが完了する。次に、同様の手順で左側のスピーカーユニット１７も取り付けることで、表示装置本体１５の組立作業が完了し、表示装置の視聴が可能になる。
【００１３】
図１１、１２は、図６をもとに説明した組立手順で仮止めビス７を支点にしてブラケット金具１を前方へ回動する際のスピーカーユニット１７の移動前後の位置を示すものである。図１３のように、スピーカーユニット１７を前方へ回動した最終位置で、スピーカーユニット１７の前面位置と表示装置本体１５の前面位置がほぼ一致することになる。
このようにして、本発明では、スピーカーユニット１７を取り付ける際は、ブラケット金具１のダルマ孔６を仮止めビス７に係合した後に、ブラケット金具１を表示装置本体１５側にビス止めにより取り付けるようにしたことで、ユーザーが行うスピーカーユニット１７の取付作業が簡単になる。また、使用する工具もプラスドライバー１本のみで済ませることができる。
【００１４】
なお、本発明の実施形態の説明では、係止孔をダルマ孔で説明したが、大円部と小円部が連続した弾丸形状の係止孔でも可能であり、更には、ブラケット金具に仮止めビスを設け、表示装置本体側にダルマ孔などの係止孔を設けることも可能である。
【産業上の利用可能性】
【００１５】
本発明は、液晶テレビ以外に、ＰＤＰ、ＳＥＤ、有機ＥＬディスプレィ等の薄型表示装置に利用可能である。
【図面の簡単な説明】
【００１６】
【図１】本発明で用いられるブラケット金具を単体で示した外観図である。
【図２】本発明で用いられる仮止めビスの外観を示す斜視図である。
【図３】本発明で用いられる仮止めビスの外観を示す斜視図である。
【図４】スピーカーユニットの取付手順を示す斜視図である。
【図５】スピーカーユニットの取付手順を示す斜視図である。
【図６】スピーカーユニットの取付手順を示す斜視図である。
【図７】スピーカーユニットの取付手順を示す斜視図である。
【図８】スピーカーユニットの取付手順を示す斜視図である。
【図９】スピーカーユニットの取付手順を示す斜視図である。
【図１０】スピーカーユニットの取付手順を示す斜視図である。
【図１１】スピーカーユニットの取付手順を示す斜視図である。
【図１２】スピーカーユニットの取付手順を示す斜視図である。
【図１３】スピーカーユニットを表示装置本体に取り付けた状態を示す斜視図である。
【符号の説明】
【００１７】
１  ブラケット金具
２〜５  取付孔
６  ダルマ孔
７  仮止めビス
８  頭部
９  円柱部
１１  フランジ部
１２  雄ねじ部
１５  表示装置本体
１６  接続線
１７  サイドスピーカーユニット
１８，１９  雌ねじ穴
２１，２２  ビス
２３  端子台
２４  端子台カバー
２５  ブラケットカバー
２６  取付孔
２７  ビス
【図１】
2005286960.tif 000003
【図２】
2005286960.tif 000004
【図３】
2005286960.tif 000005
【図４】
2005286960.tif 000006
【図５】
2005286960.tif 000007
【図６】
2005286960.tif 000008
【図７】
2005286960.tif 000009
【図８】
2005286960.tif 000010
【図９】
2005286960.tif 000011
【図１０】
2005286960.tif 000012
【図１１】
2005286960.tif 000013
【図１２】
2005286960.tif 000014
【図１３】
2005286960.tif 000015